(57)【要約】      （修正有）【課題】人や動物の皮膚に微弱電流を流すことができ、細胞の活性化という効果のある装置を提供する。【解決手段】電極掃除具１００は、作用部が相互にイオン化傾向の異なる金属が露出した第１の電極部１１０および第２の電極部１２０と、これらを相互に絶縁する絶縁体１３０と、から構成されているため、作用部１０２に接触した身体の一部、第１ワイヤー１０３および第２ワイヤー１０４の先端付近が外耳道に押圧されて触れた部分が、電池における電解質の役割を果たし、皮膚又は肌を介して第１の電極部１１０から第２の電極部１２０に向かって微弱電流が流れる。【選択図】図１
2020199068.tif 000002
【特許請求の範囲】
【請求項１】
皮膚に接触する先端側を輪っか状に湾曲させた負極の第１の電極部と正極の第２の電極部とを有する作用部を有し、
前記作用部は、接触した前記皮膚内部に電流を流す
ことを特徴とする電極掃除具。
【請求項２】
請求項１に記載の電極掃除具であって、
前記作用部は、前記先端側が所定の角度で立ち上がっている
ことを特徴とする電極掃除具。
【請求項３】
請求項１に記載の電極掃除具であって、
前記作用部は、前記第１の電極部と前記第２の電極部との間に絶縁体を有している
ことを特徴とする電極掃除具。
【請求項４】
請求項１に記載の電極掃除具であって、
前記第１の電極部および前記第２の電極部は、金属ワイヤーから形成されている
ことを特徴とする電極掃除具。
【請求項５】
請求項３に記載の電極掃除具であって、
前記絶縁体は、金属ワイヤーまたは板材から形成されている
ことを特徴とする電極掃除具。
【請求項６】
請求項１に記載の電極掃除具であって、
前記第１の電極部および前記第２の電極部は、平行に向かい合って配置され、前記先端側に凹凸が形成されている
ことを特徴とする電極掃除具。
【請求項７】
請求項１に記載の電極掃除具であって、
前記作用部は、先端側を輪っか状のヘアピン状に湾曲させた芯材周りに金属ワイヤーを巻き付けて形成した前記第１の電極部および前記第２の電極部を有している
ことを特徴とする電極掃除具。
【請求項８】
請求項１に記載の電極掃除具であって、
前記第１の電極部および第２の電極部は、板材の表面から立ち上がる１対の支持部と、支持部の先端同士を繋ぐ波型の掻き部とを有している
ことを特徴とする電極掃除具。
【請求項９】
請求項１に記載の電極掃除具であって、
前記作用部が固定された持ち手部を備え、
前記持ち手部は、滑り止めの突起を有している
ことを特徴とする電極掃除具。
【請求項１０】
請求項１に記載の電極掃除具であって、
前記作用部は、針状の前記第１の電極部が１列に連なった第１の列と、前記第２の電極部が１列に連なった第２の列とを有している
ことを特徴とする電極掃除具。
【請求項１１】
請求項１に記載の電極掃除具であって、
前記作用部は、先端が輪っか状の前記第１の電極部が１列に連なった第１の列と、前記第２の電極部が１列に連なった第２の列とを有している
ことを特徴とする電極掃除具。
【請求項１２】
請求項１１に記載の電極掃除具であって、
前記作用部は、放射状に配置された前記第１の列と、前記第１の列同士の間に放射状に配置された前記第２の電極部とを有している
ことを特徴とする電極掃除具。
【請求項１３】
請求項１に記載の電極掃除具であって、
前記作用部は、先端が所定方向に出っ張った輪っか状であり、前記所定方向に傾斜している前記第１の電極部および前記第２の電極部を有している
ことを特徴とする電極掃除具。
【請求項１４】
請求項１３に記載の電極掃除具であって、
前記作用部は、前記第１の電極部が１列に連なった第１の列と、前記第２の電極部が連なった第２の列とを有し、当該第２の電極部の各々は、前記第１の電極部同士の間に位置している
ことを特徴とする電極掃除具。
【請求項１５】
請求項１に記載の電極掃除具であって、
前記作用部は、一列上に交互に配置された前記第１の電極部および前記第２の電極部を有している
ことを特徴とする電極掃除具。
【請求項１６】
請求項１に記載の電極掃除具であって、
前記作用部は、所定半径の円の円周に沿って配置された前記第１の電極部と、当該半径とは異なる径の円周に沿って配置された前記第２の電極部とを有している
ことを特徴とする電極掃除具。
【請求項１７】
請求項１〜１６のいずれか一項に記載の電極掃除具であって、
太陽電池を備え、
前記電流は、前記太陽電池から供給される
ことを特徴とする電極掃除具。
【発明の詳細な説明】
【技術分野】
【０００１】
本発明は、電極掃除具に関する。
【背景技術】
【０００２】
鍼灸治療において、ツボに指した針に微弱な電流を流すことで、身体の疲労を回復させる方法は一般に知られている。
【発明の概要】
【発明が解決しようとする課題】
【０００３】
このような治療方法から考察した場合、人などの皮膚に微弱電流を流すことで、細胞の活性化などの効果を期待することができる。
【０００４】
そこで、本発明は、人や動物の皮膚に微弱電流を流すことができる電極掃除具の提供を目的とする。
【課題を解決するための手段】
【０００５】
本願は、上記課題の少なくとも一部を解決する手段を複数含んでいるが、その例を挙げるならば、以下のとおりである。上記の課題を解決する本発明の一態様に係る電極掃除具は、皮膚に接触する先端側を輪っか状に湾曲させた負極の第１の電極部と正極の第２の電極部とを有する作用部を有し、前記作用部は、接触した前記皮膚内部に電流を流す。
【０００６】
また、前記作用部は、前記先端側が所定の角度で立ち上がっていても良い。
【０００７】
また、前記作用部は、前記第１の電極部と前記第２の電極部との間に絶縁体を有していても良い。
【０００８】
前記第１の電極部および前記第２の電極部は、金属ワイヤーから形成されていても良い。
【０００９】
また、前記絶縁体は、金属ワイヤーまたは板材から形成されていても良い。
【００１０】
また、前記第１の電極部および前記２の電極部は、平行に向かい合って配置され、前記先端側に凹凸が形成されていても良い。
【００１１】
また、前記作用部は、先端側を輪っか状のヘアピン状に湾曲させた芯材周りに金属ワイヤーを巻き付けて形成した前記第１の電極部および前記第２の電極部を有していても良い。
【００１２】
また、前記第１の電極部および第２の電極部は、板材の表面から立ち上がる１対の支持部と、支持部の先端同士を繋ぐ波型の掻き部とを有していても良い。
【００１３】
また、前記作用部が固定された持ち手部を備え、前記持ち手部は、滑り止めの突起を有していても良い。
【００１４】
また、前記作用部は、針状の前記第１の電極部が１列に連なった第１の列と、前記第２の電極部が１列に連なった第２の列とを有していても良い。
【００１５】
また、前記作用部は、先端が輪っか状の前記第１の電極部が１列に連なった第１の列と、前記第２の電極部が１列に連なった第２の列とを有していても良い。
【００１６】
また、前記作用部は、放射状に配置された前記第１の列と、前記第１の列同士の間に放射状に配置された前記第２の電極部とを有していても良い。
【００１７】
また、前記作用部は、先端が所定方向に出っ張った輪っか状であり、前記所定方向に傾斜している前記第１の電極部および前記第２の電極部を有していても良い。
【００１８】
また、前記作用部は、前記第１の電極部が１列に連なった第１の列と、前記第２の電極部が連なった第２の列とを有し、当該第２の電極部の各々は、前記第１の電極部同士の間に位置していても良い。
【００１９】
また、前記作用部は、一列上に交互に配置された前記第１の電極部および前記第２の電極部を有していても良い。
【００２０】
また、前記作用部は、所定半径の円の円周に沿って配置された前記第１の電極部と、当該半径とは異なる径の円周に沿って配置された前記第２の電極部とを有していても良い。
【００２１】
また、太陽電池を備え、前記電流は、前記太陽電池から供給されても良い。
【発明の効果】
【００２２】
本発明の一実施形態に係る電極掃除具によれば、人や動物の皮膚に微弱電流を流すことができ、細胞の活性化という効果を期待することができる。
【００２３】
なお、上記以外の課題、構成および効果等は、以下の実施形態の説明により明らかにされる。
【図面の簡単な説明】
【００２４】
【図１】図１（ａ）は、第一実施形態に係る電極掃除具の一例を示した図である。図１（ｂ）は、電極掃除具の持ち手部の構造を示した透視図である。図１（ｃ）は、電極掃除具の側面を示した図である。
【図２】図２（ａ）は、本実施形態に係る電極掃除具の第１変形例を示した図である。図２（ｂ）は、本実施形態に係る電極掃除具の第２変形例を示した図である。
【図３】図３（ａ）は、第二実施形態に係る電極掃除具の一例を示した図である。図３（ｂ）は、第二実施形態に係る電極掃除具の第１変形例を示した図である。図３（ｃ）は、第二実施形態に係る電極掃除具の第２変形例を示した図である。
【図４】図４（ａ）は、第三実施形態に係る電極掃除具の一例を示した図である。図４（ｂ）は、電極掃除具を横方向から見た側面図である。
【図５】第四実施形態に係る電極掃除具の一例を示した図である。
【図６】図６は、第五実施形態に係る電極掃除具の一例を示した図である。図
【図７】図７（ａ）は、第六実施形態に係る電極掃除具の一例を示した図である。図７（ｂ）は、電極掃除具の使用方法を示した図である。
【図８】図８（ａ）は、第七実施形態に係る電極掃除具の一例を示した図である。図８（ｂ）は、電極掃除具を横方向から見た側面図である。
【図９】図９（ａ）は、第八実施形態に係る電極掃除具の一例を示した図である。図９（ｂ）は、電極掃除具の作用部を下方向から見た底面図である。
【図１０】図１０（ａ）は、第九実施形態に係る電極掃除具の作用部の一例を示した図である。図１０（ｂ）は、電極掃除具の作用部を下方向から見た底面図である。
【図１１】図１１（ａ）は、第十実施形態に係る電極掃除具の一例を示した図である。
【図１２】図１２（ａ）は、第十一実施形態に係る電極掃除具の一例を示した図である。図１２（ｂ）は、電極掃除具の下側から見た底面図である。
【発明を実施するための形態】
【００２５】
以下、本発明の例である各実施形態について図面を用いて説明する。
【００２６】
＜第一実施形態＞
（電極掃除具：耳かき）
図１（ａ）は、第一実施形態に係る電極掃除具の一例を示した図である。図１（ｂ）は、電極掃除具の持ち手部の構造を示した透視図である。図１（ｃ）は、電極掃除具の側面を示した図である。図示するように、電極掃除具１００は、持ち手部１０１と、作用部１０２とを備えている。持ち手部１０１は、電極掃除具１００の使用時にユーザが手で握る柄の部分である。持ち手部１０１は、例えばプラスチック樹脂や金属で形成されている。
【００２７】
作用部１０２は、電極掃除具１００の先端側に設けられており、使用時に人の肌（皮膚）に接触する部位である。具体的には、作用部１０２は、電極掃除具１００の先端側を輪っか（閉ループ）状に湾曲させたヘアピン型の金属ワイヤーから形成されている。より具体的には、作用部１０２は、同一平面上にある最外周の第１ワイヤー１０３と、最内周の第２ワイヤー１０４と、第１ワイヤー１０３および第２ワイヤー１０４の間に位置する第３ワイヤー１０５と、から構成されている。
【００２８】
第１ワイヤー１０３、第２ワイヤー１０４および第３ワイヤー１０５の湾曲している部分は、水平部位１０６に対して所定の角度（例えば、４０度〜７５度程度）で上方向に立ち上がっている。また、第１ワイヤー１０３、第２ワイヤー１０４および第３ワイヤー１０５の端部１０７は、第１ワイヤー１０３と第２ワイヤー１０４とが相互に電気的に接続した状態で持ち手部１０１内に固定されている。
【００２９】
第１ワイヤー１０３、第２ワイヤー１０４および第３ワイヤー１０５は各々、ステンレス材などの導電性金属（例えば、バネ材など）から形成されている。第２ワイヤー１０４の表面には例えば金（Ａｕ）メッキが施されている。第３ワイヤー１０５の表面には絶縁部材が塗布されている。第１ワイヤー１０３の表面は、ステンレス材が露出していても良く、例えば亜鉛（Ｚｎ）メッキが施されていても良い。
【００３０】
このような第１ワイヤー１０３は、負極の第１の電極部１１０となる。また、第２ワイヤー１０４は、正極の第２の電極部１２０となる。また、第３ワイヤー１０５は、第１の電極部および第２の電極部を相互に絶縁する絶縁体１３０である。なお、第１の電極部１１０および第２の電極部１２０は、例えば半田、金属製リベットによるカシメあるいはその他の方法による導電部１０８を介して相互に電気的に接続された状態で持ち手部１０１内に固定される。
【００３１】
電極掃除具１００は、通常、耳かきとして使用されるが、用途および使用方法は特に限定されない。例えば、耳かきとして使用する場合、ユーザは、耳の内部に挿入した作用部１０２の先端で耳垢などを掻き出すようにして使用する。なお、電極掃除具１００の大きさや先端形状、線形および線形断面形状は、用途に応じて適宜設計されれば良い。
【００３２】
電極掃除具１００は、作用部が相互にイオン化傾向の異なる金属が露出した第１の電極部１１０および第２の電極部１２０と、これらを相互に絶縁する絶縁体１３０と、から構成されているため、作用部１０２に接触した身体の一部（例えば、第１ワイヤー１０３および第２ワイヤー１０４の先端付近が外耳道に押圧されて触れた部分）が電池における電解質の役割を果たし、皮膚（肌）を介して第１の電極部１１０（負極）から第２の電極部１２０（正極）に向かって微弱電流が流れる。微弱電流は、皮膚面の状況、外部環境（温度や湿度など）あるいは押圧強度などによって異なり、例えば０．３〜５０マイクロアンペアのマイクロカレントであり、好ましくは０．５マイクロアンペア〜２０マイクロアンペアである。また、両極間に発生する電圧は、例えば１００ｍＶ〜３Ｖであり、好ましくは２００ｍＶ〜２．６Ｖである。また、正電極は、例えば金、銀、銅やこれらの素材を含むバネ材などから形成しても良く、負電極は、アルミニウム、チタン、銀、銅、タングステンやこれらを含むバネ材などから形成しても良い。さらに、導電性のゴム材に上記材料の粉末を練り込んだものであっても良い。すなわち、正電極と負電極間で電位差が発生すれば良く、そのために上記材料あるいはこれらの材料を含むバネ材などが適宜選択されて用いられれば良い。
【００３３】
なお、半田などの導電部１０８を介して、第２の電極部１２０から第１の電極部１１０に向かって電流が流れる。
【００３４】
このように、電極掃除具１００は、人（あるいは動物）の肌などを清掃する際、皮膚の接触部分に微弱電流を流すことができる。そのため、電極掃除具１００の使用により肌を活性化させる効果を期待することができる。例えば、銀ゼオライトの銀イオンの抗菌作用は、主に以下の作用機構が考えられると言われている。
（１）銀イオンは、細胞内に取り込まれて抗菌性を発揮する。
（２）取り込まれた銀イオンはタンパク質などに結合し、その機能を阻害する。
（３）タンパク質の機能阻害によって活性酸素種が発生する。
また、銅イオンの抗菌機構は、銀イオンと略同じであると推察されている。基本的には、細胞内に金属イオンが取り込まれ、タンパク質などの機能を阻害し、死滅させるものである。一般に、重金属の抗菌性は、有機物、特に生体成分によって阻害される傾向が強いと言われている。一方で、正電極や負電極に重金属を設けると共に金属間の電位差を設けることで、肌表面付近の抗菌効果を期待することができる。
【００３５】
図２（ａ）は、本実施形態に係る電極掃除具の第１変形例を示した図である。図示するように、電極掃除具１００の作用部１０２は、第１の電極部１１０および第２の電極部１２０から構成され、第１の電極部１１０と第２の電極部１２０との間に絶縁体１３０を有していない。なお、第１の電極部１１０および第２の電極部１２０は、相互に電気的に接続した状態で持ち手部１０１内に固定されている。
【００３６】
第１の電極部１１０および第２の電極部１２０の間には、比較的広い隙間Ｌ１が形成されている。かかる隙間Ｌ１が第１の電極部１１０と第２の電極部１２０とを分離させる無接触部の働きをする。
【００３７】
このような第１変形例に係る電極掃除具１００によっても、作用部１０２に接触した身体の一部に微弱電流を流すことができ、肌を活性化させる効果を期待することができる。また、抗菌効果を期待することができる。
【００３８】
図２（ｂ）は、本実施形態に係る電極掃除具の第２変形例を示した図である。図示するように、電極掃除具１００は、第１の電極部１１０および第２の電極部１２０に電流を流すための電源となる太陽電池１４０を持ち手部１０１内に有している。第１の電極部１１０および第２の電極部１２０は各々、太陽電池１４０の負極と正極に接続されている。なお、第１の電極部１１０および第２の電極部１２０には太陽電池１４０を用いて電流を流すため、第１ワイヤー１０３および第２ワイヤー１０４の表面には必ずしもメッキ加工などを施す必要はない。しかし、一方で、例えば金メッキ、銀メッキ、銅メッキあるいはそれらの素材で構成することで、抗菌性をも期待することができる。
【００３９】
なお、電極掃除具１００は、電流のＯＮ／ＯＦＦを切り替えるスイッチが持ち手部１０１に設けられていても良い。
【００４０】
太陽電池１４０を用いて第２の電極部１２０から第１の電極部１１０に向かって電流を流すことで、作用部１０２に接触した身体の一部に微弱電流を流すことができる。そのため、微弱電流による肌を活性化させる効果が期待できる。また、抗菌効果を期待することができる。なお、太陽電池１４０以外の電池が用いられても良い。この場合、微弱電流は、１マイクロアンペア〜１００マイクロアンペアの範囲としても良い。また、印加電圧は、例えば±１００ｍＶ〜±５Ｖ、好ましくは±２００ｍＶ〜±３．５Ｖとする。また、波長を持った電流や、電流をオンオフする制御を可能としても良い。さらには、電流強度や周波数を変更できる制御を可能としても良い。
【００４１】
＜第二実施形態＞
（電極掃除具：耳かき）
図３（ａ）は、第二実施形態に係る電極掃除具の一例を示した図である。図示するように、電極掃除具２００は、第一実施形態の電極掃除具１００と同様、持ち手部１０１と、作用部１０２とを備えている。なお、本実施形態を含む以降の実施形態では、第一実施形態と同一の構成については同一の符号を付して詳細な説明を省略する。
【００４２】
作用部１０２は、電極掃除具２００の先端側を輪っか（閉ループ）状に湾曲させたヘアピン型に形成され、縮れによる凹凸形状が先端付近に形成された第１の電極部１１０と、第１の電極部１１０と略同様の形状を有する第２の電極部１２０と、から構成されている。第１の電極部１１０および第２の電極部１２０は、所定幅の隙間を空けて平行に向かい合って配置され、持ち手部１０１内で相互に電気的に接続した状態で固定されている。
【００４３】
図３（ｂ）は、第二実施形態に係る電極掃除具の第１変形例を示した図である。図示するように、電極掃除具２００の作用部１０２は、平行に向かい合って配置された第１の電極部１１０と第２の電極部１２０との間に、これらに平行な絶縁体１３０を有している。絶縁体１３０は、電極掃除具２００の先端側を輪っか（閉ループ）状に湾曲させたヘアピン状の金属ワイヤーであって、表面に絶縁部材が塗布されている。なお、図示する絶縁体１３０には、凹凸形状が形成されていないが、第１の電極部１１０や第２の電極部１２０と同様、電極掃除具２００の先端付近に縮れによる凹凸を設けても良い。
【００４４】
第１の電極部１１０と第２の電極部１２０とは、持ち手部１０１内で相互に電気的に接続した状態で固定されている。
【００４５】
図３（ｃ）は、第二実施形態に係る電極掃除具の第２変形例を示した図である。図示するように、電極掃除具２００の作用部１０２は、平行に向かい合って配置された第１の電極部１１０と第２の電極部１２０との間に、第１の電極部１１０および第２の電極部１２０に平行な板状の絶縁体１３０を有している。板状の絶縁体１３０は、第１の電極部１１０や第２の電極部１２０と略同じ輪郭形状を有している。また、第１の電極部１１０と第２の電極部１２０とは、持ち手部１０１内で相互に電気的に接続した状態で固定されている。
【００４６】
これらの電極掃除具２００の使用方法は特に限定されない。例えば、耳かきとして使用しても良く、人や動物の皮膚を撫でて使用するのでも良い。
【００４７】
このような第二実施形態に係る電極掃除具によっても、作用部に接触した身体の一部に微弱電流を流すことができ、肌を活性化させる効果を期待することができる。また、抗菌効果を期待することができる。
【００４８】
＜第三実施形態＞
（電極掃除具：耳かき）
図４（ａ）は、第三実施形態に係る電極掃除具の一例を示した図である。図４（ｂ）は、電極掃除具を横方向から見た側面図である。図示するように、電極掃除具３００は、１枚の導電性の金属板を切り抜くことで先端が輪っか（閉ループ）状に形成された第１の電極部１１０および第２の電極部１２０から構成される作用部１０２を有している。なお、加工方法は特に限定されないが、例えばブラストや振動バレルで表面の角を丸めても良い。
【００４９】
第１の電極部１１０および第２の電極部１２０は各々、電極掃除具３００の先端側を輪っか状にした形状をしている。また、作用部１０２の先端側において、第１の電極部１１０と第２の電極部１２０との間には隙間３０１が形成されている。隙間３０１は、第１の電極部１１０と第２の電極部１２０の先端側においてより広く形成され、持ち手部１０１側では略一定の細い隙間になっている。
【００５０】
また、第２の電極部１２０は、内側の金属板を切り抜いて中空部３０２を形成することで、中空部３０２と隙間３０１との間に挟まれた先端側が輪っか状に形成されている。
【００５１】
また、第１の電極部１１０および第２の電極部１２０の先端は、持ち手部１０１から伸びる水平部位１０６に対して所定の角度（例えば、４０度〜７５度程度）で上方向に立ち上がっている。
【００５２】
電極掃除具３００は、例えば、耳かきとして使用しても良く、人や動物の皮膚を撫でて使用するのでも良い。
【００５３】
第三実施形態に係る電極掃除具によっても、作用部に接触した身体の一部に微弱電流を流すことができ、肌を活性化させる効果を期待することができる。また、抗菌効果を期待することができる。なお、図４（ａ）、（ｂ）では、第１の電極部１１０および第２の電極部１２０を各々、単体で示したが、各電極部を複数本ずつ設けても良い。また、第１の電極部１１０および第２の電極部１２０を各々複数設けた場合、例えば、図１に示す絶縁体１３０のように、両電極部の間であって、両電極部に沿って複数の絶縁体を設けても良い。
【００５４】
＜第四実施形態＞
（電極掃除具：耳かき）
図５は、第四実施形態に係る電極掃除具の一例を示した図である。図示するように、電極掃除具４００は、先端側を輪っか（閉ループ）状のヘアピン型に湾曲させた芯材４０１周りに導電性の金属ワイヤーをバネ状に巻き付けた作用部１０２を有している。
【００５５】
具体的には、作用部１０２は、かかる芯材４０１の片側半分（例えば、左側半分）に第１の電極部１１０となる金属ワイヤー４０２を巻き付け、芯材４０１が貫通するリング状の絶縁部材４０３を隔てて、もう一方の片側半分（例えば、右側半分）に第２の電極部１２０となる金属ワイヤー４０４を巻き付けた構造となっている。また、第１の電極部１１０と第２の電極部１２０との間には、所定幅の隙間４０５が形成されている。
【００５６】
なお、芯材４０１は、導電性の金属ワイヤーにより形成されている。そのため、芯材４０１を介して、第１の電極部１１０と第２の電極部１２０とは導通している。
【００５７】
電極掃除具４００の使用方法の一例としては、例えば耳かきとして、第１の電極部１１０および第２の電極部１２０を構成するバネ状の金属ワイヤー４０２、４０４で耳垢などを掻き出すようにして使用する。なお、使用方法は特に限定されない。
【００５８】
このような第四実施形態に係る電極掃除具によっても、作用部に接触した身体の一部に微弱電流を流すことができ、肌を活性化させる効果を期待することができる。また、抗菌効果を期待することができる。
【００５９】
＜第五実施形態＞
（電極掃除具：背中掻き、肌掻き）
図６は、第五実施形態に係る電極掃除具の一例を示した図である。図示するように、電極掃除具５００は、所定形状（例えば、図６に示すしゃもじ型）の板材５０１の表面から電極掃除具５００の先端方向に向かって上方向に立ち上がる１対の支持部５０２と、支持部５０２の先端において持ち手部１０１側に向かって立ち上がり、支持部５０２間を繋ぐ波型の掻き部５０３と、から構成される２つ１組の作用部１０２を有している。作用部１０２の一方は第１の電極部１１０であり、作用部の他方は第２の電極部１２０である。
【００６０】
掻き部５０３は、一方の支持部５０２から他方の支持部５０２に向かって電極掃除具５００の幅方向に伸びる波型形状をしている。また、作用部１０２は、掻き部５０３の先端５０４Ａと、掻き部５０３の先端５０４Ｂとが略同一平面に位置するように板材５０１の表面からの立ち上がり角や長さが設定されている。
【００６１】
第１の電極部１１０と、第２の電極部１２０とは、相互に電気的に接続した状態で持ち手部１０１内に固定されている。
【００６２】
ユーザは、波型である掻き部５０３の先端５０４Ａ、５０４Ｂで背中や肌を引っ掻くようにして電極掃除具５００を使用する。
【００６３】
このような第五実施形態に係る電極掃除具によっても、作用部に接触した身体の一部に微弱電流を流すことができ、肌を活性化させる効果を期待することができる。また、抗菌効果を期待することができる。
【００６４】
＜第六実施形態＞
（電極掃除具：鼻くそ取り）
図７（ａ）は、第六実施形態に係る電極掃除具の一例を示した図である。図７（ｂ）は、電極掃除具の使用方法を示した図である。図示するように、電極掃除具６００は、先端側を輪っか（閉ループ）状に湾曲させ、上方向に立ち上げられている第１の電極部１１０、第２の電極部１２０および絶縁体１３０から構成された作用部１０２を有している。
【００６５】
作用部１０２は、第１の電極部１１０と第２の電極部１２０との間の同一平面上に絶縁体１３０を配置し、第１の電極部１１０と第２の電極部１２０とは、持ち手部１０１内で電気的に接続した状態で固定されている。
【００６６】
作用部１０２は、持ち手部１０１の上面側の一端付近に取り付けられている。また、持ち手部１０１の上面側中央付近には、電極掃除具６００を指で持った際に滑らないように、複数の突起６０１からなる滑り止め６０２が設けられている。また、持ち手部１０１の下面側６０３は、指で持ちやすいように中央付近が凹んだ形状をしている。このような電極掃除具６００の表面は、鼻腔内で皮膚に触れた場合でもユーザが怪我をしないように触り心地の柔らかいエラストマーなどによって覆われている。ユーザは、作用部１０２の先端で鼻くそを掻き出すようにして電極掃除具６００を使用する。
【００６７】
このような第五実施形態に係る電極掃除具によっても、作用部に接触した身体の一部に微弱電流を流すことができ、肌を活性化させる効果を期待することができる。また、抗菌効果を期待することができる。
【００６８】
＜第七実施形態＞
（電極掃除具：肌掻きブラシ）
図８（ａ）は、第七実施形態に係る電極掃除具の一例を示した図である。図８（ｂ）は、電極掃除具を横方向から見た側面図である。図示するように、電極掃除具７００は、先端が丸みを帯びている針状の第１の電極部１１０が１列に連なった第１の列７０１と、第２の電極部１２０が１列に連なった第２の列７０２と、を交互に配置した作用部１０２を有している。なお、第１の電極部１１０と第２の電極部１２０の各々は、接続部７０３において相互に電気的に接続された状態で固定されている。
【００６９】
具体的には、第１の電極部１１０および第２の電極部１２０は、接続部７０３に設けられた複数の貫通穴に通して固定されている。第１の列７０１を形成する貫通穴には第１の電極部１１０が挿入され、第２の列７０２を形成する貫通穴には第２の電極部１２０が挿入されて固定されている。第１の電極部１１０と、第２の電極部１２０とは各々、所定の間隔（例えば、数ｍｍ）を空けて接続部７０３に固定されている。また、第１の電極部１１０同士および第２の電極部１２０同士も各々、所定の間隔（例えば、数ｍｍ）を空けて接続部７０３に固定されている。接続部７０３から各々の電極部１１０、１２０の先端までの長さは、例えば７ｍｍ〜８０ｍｍ、好ましくは１０ｍｍ〜６０ｍｍとする。
【００７０】
接続部７０３は、導電性の金属板から形成されている。そのため、第１の電極部１１０と第２の電極部１２０とは、接続部７０３において相互に電気的に接続されている。
【００７１】
このような電極掃除具７００は、人や動物の肌や頭皮を撫でて使用する。
【００７２】
電極掃除具７００の使用時において、皮膚に接触した第１の電極部１１０および第２の電極部１２０の端部同士の間には隙間が形成される。そのため、電極掃除具７００は、第１の電極部１１０から第２の電極部１２０に向かって皮膚を流れる微弱電流を発生させることができる。微弱電流により、肌を活性化させる効果を期待することができる。また、抗菌効果を期待することができる。
【００７３】
＜第八実施形態＞
（電極掃除具：肌掻きブラシ）
図９（ａ）は、第八実施形態に係る電極掃除具の一例を示した図である。図９（ｂ）は、電極掃除具の作用部を下方向から見た底面図である。図示するように、電極掃除具８００は、先端が輪っか（閉ループ）状の第１の電極部１１０が１列に連なった第１の列８０１と、第１の電極部１１０と同一形状の第２の電極部１２０が１列に連なった第２の列８０２とを交互に配置した作用部１０２を有している。なお、第１の電極部１１０と第２の電極部１２０の各々は、接続部８０３において相互に電気的に接続された状態で固定されている。
【００７４】
接続部８０３には、第１の電極部１１０および第２の電極部１２０を固定する孔が複数設けられている。第１の列８０１を形成する孔には第１の電極部１１０が固定され、第２の列８０２を形成する孔には第２の電極部１２０が固定されている。第１の電極部１１０と、第２の電極部１２０とは各々、所定の間隔（例えば、２ｍｍ〜１０ｍｍ、好ましくは２ｍｍ〜８ｍｍ）を空けて接続部８０３に固定されている。また、第１の電極部１１０同士および第２の電極部１２０同士も各々、所定の間隔（２ｍｍ〜１０ｍｍ、好ましくは２ｍｍ〜８ｍｍ）を空けて接続部８０３に固定されている。また、第１の電極部１１０および第２の電極部１２０のループは、略円形（楕円形を含む）または多角形のワイヤーを使用する。また、ワイヤーの太さは、例えば断面積が直径０．３ｍｍ円形断面積〜２ｍｍ円形断面積相当、好ましくは直径０．５ｍｍ円形断面積〜１．５ｍｍ円形断面積相当とする。また、接続部８０３は、金属製で第１の電極部１１０および第２の電極部１２０を差し込むなどして直接導通させても良く、接続部８０３をプラスチックで成型し、第１の電極部１１０および第２の電極部１２０を接続部８０３の内部で結線するようにしても良い。
【００７５】
このような電極掃除具によっても、第１の電極部および第２の電極部に接触した人や動物の皮膚に微弱電流を流すことができ、肌を活性化させる効果を期待することができる。また、抗菌効果を期待することができる。
【００７６】
図９（ｃ）は、第八実施形態に係る電極掃除具の変形例を示した図である。図示するように、変形例に係る電極掃除具８００は、接続部８０３の中央付近から外側に向かって第１の電極部１１０と第２の電極部１２０とを交互かつ放射状に配置した作用部１０２を有している。なお、第１の電極部１１０と第２の電極部１２０の各々は、接続部８０３において相互に電気的に接続された状態で固定されている。
【００７７】
第１の電極部１１０は、接続部８０３の中央付近から外側に向かって放射状に所定数（図９（ｃ）では、２つ）連続して配置されており、第１の列８０１を形成している。また、第２の電極部１２０は、第１の列８０１同士の間に所定数ずつ（図９（ｃ）では、１つずつ）放射状に配置されている。なお、第２の電極部１２０は、第１の電極部１１０と同様、連続して配置することで第２の列を形成しても良い。なお、第１の電極部１１０および第２の電極部１２０の先端までの長さは、例えば７ｍｍ〜８０ｍｍ、好ましくは１０ｍｍ〜６０ｍｍで適宜設定されるものとする。また、各々の電極部１１０、１２０の先端までの長さは、接続部８０３の中央に掛けて異なる長さが設定されても良い。例えば、接続部８０３の外周側よりも中央側に向かって両電極部１１０、１２０の長さを長く（あるいは短く）設定することにより、電極掃除具８００の作用部の形状を中央が凸状あるいは凹状にすることができ、平面、球面あるいは湾曲面に対する使用に対応することができる。
【００７８】
このような電極掃除具によっても、第１の電極部および第２の電極部に接触した人や動物の皮膚に微弱電流を流すことができ、肌を活性化させる効果を期待することができる。また、抗菌効果を期待することができる。
【００７９】
＜第九実施形態＞
（電極掃除具：肌掻きブラシ）
図１０（ａ）は、第九実施形態に係る電極掃除具の作用部の一例を示した図である。図１０（ｂ）は、電極掃除具の作用部を下方向から見た底面図である。図示するように、電極掃除具９００は、第１の電極部１１０が１列に連なった第１の列９０１と、第２の電極部１２０が１列に連なった第２の列９０２とが交互に配置され、第１の電極部１１０同士の間に第２の電極部１２０が位置するように配置された作用部１０２を有している。なお、第１の電極部１１０と第２の電極部１２０の各々は、接続部９０３において相互に電気的に接続された状態で固定されている。
【００８０】
第１の電極部１１０および第２の電極部１２０は各々、先端が輪っか（閉ループ）状であり、所定角（例えば、８０度〜９０度）で持ち手部１０１側に傾斜して接続部９０３に固定されている。また、第１の電極部１１０および第２の電極部１２０の先端付近の形状は、持ち手部１０１側にやや出っ張った形状をしている。このように、両電極部１１０、１２０の形状は、肌への接触面が、水平方向でハンドル側に向かって下方向に傾いているため、肌面の毛などを掻き分けやすくなっている。なお、傾き角度は、肌接触平面（接続部９０３において両電極部１１０、１２０が固定される面）に対して、例えば３°〜８０°であり、好ましくは５°〜４５°である。
【００８１】
接続部９０３には、第１の電極部１１０および第２の電極部１２０を固定する孔が複数設けられている。第１の列９０１を形成する孔には第１の電極部１１０が固定され、第２の列９０２を形成する孔には第２の電極部１２０が固定されている。第１の電極部１１０と、第２の電極部１２０とは各々、所定の間隔（例えば、２ｍｍ〜１０ｍｍ、好ましくは２ｍｍ〜８ｍｍ）を空けて接続部９０３に固定されている。また、第１の電極部１１０同士および第２の電極部１２０同士も各々、所定の間隔（数ｍｍ）をずらして接続部９０３に固定されている。また、第１の電極部１１０および第２の電極部１２０のループは、略円形（楕円形を含む）または多角形のワイヤーを使用する。また、ワイヤーの太さは、例えば断面積が直径０．３ｍｍ円形断面積〜２ｍｍ円形断面積相当、好ましくは直径０．５ｍｍ円形断面積〜１．５ｍｍ円形断面積相当とする。また、接続部９０３は、金属製で第１の電極部１１０および第２の電極部１２０を差し込むなどして直接導通させても良く、接続部９０３をプラスチックで成型し、第１の電極部１１０および第２の電極部１２０を接続部８０３の内部で結線するようにしても良い。また、第１の電極部１１０および第２の電極部１２０の先端までの長さは、例えば７ｍｍ〜８０ｍｍ、好ましくは１０ｍｍ〜６０ｍｍで適宜設定されるものとする。また、各々の電極部１１０、１２０の先端までの長さは、接続部８０３の中央に掛けて異なる長さが設定されても良い。例えば、接続部８０３の外周側よりも中央側に向かって両電極部１１０、１２０の長さを長く（あるいは短く）設定することにより、電極掃除具８００の作用部の形状を中央が凸状あるいは凹状にすることができ、平面、球面あるいは湾曲面に対する使用に対応することができる。
【００８２】
このような電極掃除具によっても、第１の電極部および第２の電極部に接触した人や動物の皮膚に微弱電流を流すことができ、肌を活性化させる効果を期待することができる。また、抗菌効果を期待することができる。
【００８３】
＜第十実施形態＞
（電極掃除具：ペットのグルーミングブラシ）
図１１（ａ）は、第十実施形態に係る電極掃除具の一例を示した図である。図示するように、電極掃除具１０００は、先端側が先細る突起状に形成された第１の電極部１１０と第２の電極部１２０とを１列上に交互に配置した作用部１０２を有している。なお、第１の電極部１１０と第２の電極部１２０の各々は、接続部１００１において相互に電気的に接続された状態で固定されている。
【００８４】
交互に配置された第１の電極部１１０と第２の電極部１２０との間には所定の間隔（例えば、０．５ｍｍ〜８ｍｍ、好ましくは０．６ｍｍ〜６ｍｍ）を空けて接続部１００１に設けられている孔に固定されている。接続部１００１から各々の電極部１１０、１２０先端までの長さは適宜設定されるものとする。なお、図示しないが、複数の第１の電極部１１０と複数の第２の電極部１２０とを別体で構成し、各々を第１の電極部群と第２の電極部群とした場合、第１の電極部１１０同士の間および第２の電極部１２０同士の間に隙間を設け、第１の電極部１１０と第２の電極部１２０とが交互に噛み合うように第１の電極部群と第２の電極部群とを接続部１００１に差し込むなどして配置しても良い。
【００８５】
このような電極掃除具１０００は、猫などの動物のグルーミングブラシとして使用する。具体的には、作用部を動物の身体に押し付けつつ持ち手部側に引くことで、突起状の第１の電極部１１０と第２の電極部１２０との間に体毛を挟み込み、抜け毛などを取り除く。なお、電極掃除具１０００は、人や動物の肌を撫でるように使用しても良く、用途および使用方法は限定されない。
【００８６】
このような電極掃除具によっても、第１の電極部および第２の電極部に接触した動物の皮膚に微弱電流を流すことができ、肌を活性化させる効果を期待することができる。また、抗菌効果を期待することができる。
【００８７】
＜第十一実施形態＞
（電極掃除具：頭皮ブラシ）
図１２（ａ）は、第十一実施形態に係る電極掃除具の一例を示した図である。図１２（ｂ）は、電極掃除具の下側から見た底面図である。図示するように、電極掃除具１１００は、所定半径の円の円周（楕円も含む）に沿って配置された第１の電極部１１０と、第１の電極部１１０が配置された円とは異なる径の円周に沿って配置された第２の電極部１２０とから構成される作用部１０２を有している。なお、円は略円であれば良く、楕円や多角形であっても良い。
【００８８】
第１の電極部１１０および第２の電極部１２０は、一端が接続部１１０１に固定され、他端である先端方向に向かって先細る突起１１０２の先端に取り付けられている。第１の電極部１１０および第２の電極部１２０は各々、半球形の丸みを帯びた形状をしている。なお、突起１１０２は、エラストマーなど弾力性のある素材により形成されている。
【００８９】
第１の電極部１１０と第２の電極部１２０との間には各々、所定の間隔（例えば、数ｍｍ）が設けられている。また、第１の電極部１１０同士および第２の電極部１２０同士の間にも、所定の間隔（例えば、数ｍｍ）が設けられている。
【００９０】
また、突起１１０２内部および接続部１１０１を通る金属製の接続線（図示せず）により、第１の電極部１１０および第２の電極部１２０は各々、相互に電気的に接続されている。
【００９１】
このような電極掃除具１１００は、第１の電極部１１０および第２の電極部１２０を頭に押し付けて動かすことにより、頭皮の汚れを取り除くことができる。なお、第１の電極部１１０および第２の電極部１２０の先端までの長さは、例えば１０ｍｍ〜８０ｍｍ、好ましくは１５ｍｍ〜６０ｍｍとする。また、各々の電極部１１０、１２０の先端までの長さは、接続部８０３の中央に掛けて異なる長さが設定されても良い。例えば、接続部８０３の外周側よりも中央側に向かって両電極部１１０、１２０の長さを長く（あるいは短く）設定することにより、電極掃除具８００の作用部の形状を中央が凸状あるいは凹状にすることができ、平面、球面あるいは湾曲面に対する使用に対応することができる。また、シャンプーなどの液体洗剤を付けて頭皮を洗浄する際など、使用時に電極と皮膚との間の抵抗が小さくなる場合には、人体に過度の電流が流れることを防ぐために接続部１１０１内における両電極部１１０、１２０の結線を切断するためのスイッチを設けても良い。あるいは、接続部１１０１内に電流量を制御する電流制限ダイオードや抵抗などを設けても良い。また、電流制限ダイオードや抵抗などによって電流量を制御する場合、それらを設けた制御回路を両電極部１１０、１２０に接続することで一つにまとめて電流量を制御しても良い。
【００９２】
このような電極掃除具によっても、第１の電極部および第２の電極部に接触した動物の皮膚に微弱電流を流すことができ、肌を活性化させる効果を期待することができる。また、抗菌効果を期待することができる。
【００９３】
なお、第一実施形態〜第十一実施形態において、第１の電極部を正極とし、第２の電極部を負極としても良い。また、第１の電極部および第２の電極部に電池（太陽電池を含む）を用いて電流を流すようにしても良い。また、第六実施形態に係る電極掃除具には、滑り止めの突起が形成されているが、他の実施形態に係る電極掃除具の持ち手部にも同様の滑り止めの突起が形成されていても良い。また、前述の全ての実施形態においても、使用時に人体に過度の電流が流れることを防ぐために接続部内における両電極部１１０、１２０の結線を切断するためのスイッチを設けても良い。あるいは、接続部内に電流量を制御する電流制限ダイオードや抵抗などを設けても良い。また、電流制限ダイオードや抵抗などによって電流量を制御する場合、それらを設けた制御回路を両電極部１１０、１２０に接続することで一つにまとめて電流量を制御しても良い。
【符号の説明】
【００９４】
１００、２００、３００、４００、５００、６００、７００、８００、９００、１０００、１１００・・・電極掃除具、１０１・・・持ち手部、１０２・・・作用部、１０３・・・第１ワイヤー、１０４・・・第２ワイヤー、１０５・・・第３ワイヤー、１１０・・・第１の電極部、１２０・・・第２の電極部、１３０・・・絶縁体
【図１】
2020199068.tif 000003
【図２】
2020199068.tif 000004
【図３】
2020199068.tif 000005
【図４】
2020199068.tif 000006
【図５】
2020199068.tif 000007
【図６】
2020199068.tif 000008
【図７】
2020199068.tif 000009
【図８】
2020199068.tif 000010
【図９】
2020199068.tif 000011
【図１０】
2020199068.tif 000012
【図１１】
2020199068.tif 000013
【図１２】
2020199068.tif 000014
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
掻いて使用する電極掃除具であって、
皮膚に接触する先端側を輪っか状に湾曲させた負極の第１の電極部と正極の第２の電極部とを有する作用部を有し、
前記作用部は、接触した前記皮膚内部に電流を流す
ことを特徴とする電極掃除具。
【請求項２】
請求項１に記載の電極掃除具であって、
前記作用部は、前記先端側が所定の角度で立ち上がっている
ことを特徴とする電極掃除具。
【請求項３】
請求項１に記載の電極掃除具であって、
前記作用部は、前記第１の電極部と前記第２の電極部との間に絶縁体を有している
ことを特徴とする電極掃除具。
【請求項４】
請求項１に記載の電極掃除具であって、
前記第１の電極部および前記第２の電極部は、金属ワイヤーから形成されている
ことを特徴とする電極掃除具。
【請求項５】
請求項３に記載の電極掃除具であって、
前記絶縁体は、金属ワイヤーまたは板材から形成されている
ことを特徴とする電極掃除具。
【請求項６】
請求項１に記載の電極掃除具であって、
前記第１の電極部および前記第２の電極部は、平行に向かい合って配置され、前記先端側に凹凸が形成されている
ことを特徴とする電極掃除具。
【請求項７】
請求項１に記載の電極掃除具であって、
前記作用部は、先端側を輪っか状のヘアピン状に湾曲させた芯材周りに金属ワイヤーを巻き付けて形成した前記第１の電極部および前記第２の電極部を有している
ことを特徴とする電極掃除具。
【請求項８】
請求項１に記載の電極掃除具であって、
前記第１の電極部および第２の電極部は、板材の表面から立ち上がる１対の支持部と、支持部の先端同士を繋ぐ波型の掻き部とを有している
ことを特徴とする電極掃除具。
【請求項９】
掻いて使用する電極掃除具であって、
皮膚に接触する先端方向に長細い負極の第１の電極部と正極の第２の電極部とを有する作用部を有し、
前記作用部は、接触した前記皮膚内部に電流を流す
ことを特徴とする電極掃除具。
【請求項１０】
請求項９に記載の電極掃除具であって、
前記作用部は、前記第１の電極部が１列に連なった第１の列と、前記第２の電極部が１列に連なった第２の列とを有している
ことを特徴とする電極掃除具。
【請求項１１】
請求項１に記載の電極掃除具であって、
前記作用部は、先端が輪っか状の前記第１の電極部が１列に連なった第１の列と、前記第２の電極部が１列に連なった第２の列とを有している
ことを特徴とする電極掃除具。
【請求項１２】
請求項１１に記載の電極掃除具であって、
前記作用部は、放射状に配置された前記第１の列と、前記第１の列同士の間に放射状に配置された前記第２の電極部とを有している
ことを特徴とする電極掃除具。
【請求項１３】
請求項１に記載の電極掃除具であって、
前記作用部は、先端が所定方向に出っ張った輪っか状であり、前記所定方向に傾斜している前記第１の電極部および前記第２の電極部を有している
ことを特徴とする電極掃除具。
【請求項１４】
請求項１３に記載の電極掃除具であって、
前記作用部は、前記第１の電極部が１列に連なった第１の列と、前記第２の電極部が連なった第２の列とを有し、当該第２の電極部の各々は、前記第１の電極部同士の間に位置している
ことを特徴とする電極掃除具。
【請求項１５】
請求項９に記載の電極掃除具であって、
前記作用部は、一列上に交互に配置された前記第１の電極部および前記第２の電極部を有している
ことを特徴とする電極掃除具。
【請求項１６】
請求項９に記載の電極掃除具であって、
前記作用部は、所定半径の円の円周に沿って配置された前記第１の電極部と、当該半径とは異なる径の円周に沿って配置された前記第２の電極部とを有している
ことを特徴とする電極掃除具。
【請求項１７】
請求項１〜１６のいずれか一項に記載の電極掃除具であって、
太陽電池を備え、
前記電流は、前記太陽電池から供給される
ことを特徴とする電極掃除具。